(57)【要約】  本発明は、化粧品リフィル（５）に嵌合させることを意図した軸Ｘのキャップ（３）であって、キャップ（３）が中空本体（４４）と、少なくとも１つの破断可能領域（９６）により中空本体（４４）に接続された軸Ｚの少なくとも１つの把持タブ（１４）とを含み、キャップ（３）には、内部に、リフィル（５）の相補的保持起伏部（４６）において係合可能な少なくとも１つの保持起伏部（１１１、８０、８１、８２）が設けられるキャップ（３）に関する。
2019526503.tif 000002
【特許請求の範囲】
【請求項１】
化粧品リフィル（５）に嵌合させることを意図した軸Ｘのキャップ（３）であって、中空本体（４４）と、少なくとも１つの破断可能領域（９６）により前記中空本体（４４）に接続された軸Ｚの少なくとも１つの把持タブ（１４）とを含み、前記キャップ（３）には、内部に、前記リフィル（５）の相補的保持起伏部（４６）において係合可能な少なくとも１つの保持起伏部（１１１、８０、８１、８２）が設けられるキャップ（３）において、
前記把持タブ（１４）の軸Ｚが、前記キャップ（３）の側壁（２１）の高さにわたって少なくとも部分的に延在し、前記キャップ（３）の前記保持起伏部（１１１、８０、８１、８２）が、最初の使用時に前記把持タブ（１４）にかけられる牽引力の影響で、前記リフィル（５）の前記相補的保持起伏部（４６）から少なくとも部分的に外れるように設計されることを特徴とするキャップ（３）。
【請求項２】
前記把持タブ（１４）の前記軸Ｚが、前記キャップ（３）の前記側壁（２１）の全高にわたって延在することを特徴とする、請求項１に記載のキャップ（３）。
【請求項３】
前記把持タブ（１４）の前記軸Ｚが、前記キャップ（３）の頂壁（１９）にわたって少なくとも部分的に延在することを特徴とする、請求項１または２に記載のキャップ（３）。
【請求項４】
前記破断可能領域（９６）が、厚みの薄い領域であって、厚みの薄いライン、および／または、貫通開口によりまたは厚みの薄い領域により互いから分離された材料の複数のブリッジを含む厚みの薄い領域であることを特徴とする、請求項１〜３のいずれか一項に記載のキャップ（３）。
【請求項５】
前記把持タブ（１４）が前記キャップ（３）の本体から、少なくとも１つのスロット（７１、７２）により分離されることを特徴とする、請求項１〜４のいずれか一項に記載のキャップ（３）。
【請求項６】
前記中空本体（４４）、前記把持タブ（１４）および前記破断可能領域（９６）が互いに一体のものとして作られることを特徴とする、請求項１〜５のいずれか一項に記載のキャップ（３）。
【請求項７】
前記把持タブ（１４）の前記軸Ｚが、前記キャップ（３）の正中面に位置することを特徴とする、請求項１〜６のいずれか一項に記載のキャップ（３）。
【請求項８】
前記リフィル（５）が、内部に収納用区画（２８）を画定するベース（１２）と、蝶番（１２２）の軸Ｙを中心としてベースに回転可能なやり方で取り付けられたプレート（１６）とを含み、前記プレート（１６）が、前記プレート（１６）が前記収納用区画（２８）を閉鎖する閉鎖構成と、前記収納用区画（２８）に接近可能である開封構成との間で可動であることを特徴とする、請求項１〜７のいずれか一項に記載のキャップ（３）。
【請求項９】
ハウジング（３７）がプレート（１６）において作られるとともに第２化粧用品（４２）を受けることを意図され、前記ハウジングが底部（３８）と側壁（４０）とを含み、前記側壁（４０）が弾性的に変形可能であることを特徴とする、請求項８に記載のキャップ（３）。
【請求項１０】
化粧品リフィル（５）に嵌合させられた請求項１〜９のいずれか一項に記載のキャップ（３）を含む、耐漏洩性化粧リフィル（５）。
【請求項１１】
化粧方法であって、
（ｉ）請求項１０に記載の耐漏洩性化粧リフィル（５）を提供するステップと、
（ｉｉ）２本の指の間で把持タブ（１４）をつかむステップと、
（ｉｉｉ）前記把持タブ（１４）に牽引力をかけるステップと、
（ｉｖ）任意選択的に、片方の手で前記キャップ（３）を、他方の手で前記リフィル（５）を、それらを互いに離れるように移動させてそれらを分離し化粧品へ接近するために、つかむステップと
を含む化粧方法。
【発明の詳細な説明】
【技術分野】
【０００１】
本発明は概して、化粧品を梱包するための詰替可能なデバイスに関する。
【０００２】
そのような詰替可能なデバイスは、例えば、眉、頬骨または唇など顔の表面に化粧をするためのメーキャップケースであり得る。
【０００３】
メーキャップ製品は、とりわけ、ファンデーション、頬紅、アイシャドウ、口紅、リップグロスまたはリップクリームである。
【０００４】
本発明の意味において、「化粧品」は、例えば粉体、液体またはクリームなどの固体など、人間に施されることを意図された化粧品であると理解される。「化粧品」は、より一般的には、化粧品に関する２００９年１１月３０日の欧州議会および理事会の規則（ＥＣ）第１２２３／２００９において定義された製品である。
【０００５】
本発明によると、化粧品は、支持体において、例えば発泡体またはスポンジにおいて含浸され得る。
【０００６】
外側ケーシングを有する化粧品を梱包するためのデバイス、および、外側ケーシングに受け入れられるように構成された化粧品リフィルが知られている。リフィルには、それを外側ケーシングに締結するための手段がある。
【背景技術】
【０００７】
いくつかのタイプのリフィルが既に提案されている。
【０００８】
（特許文献１）は蓋を備えたリフィルを説明している。
【０００９】
（特許文献２）は、リフィルであって、化粧組成物を受け入れるための室の境界を定める、半径方向内側にある第１壁と、リフィルの内容物を密封するための手段を施すための、半径方向外側にある第２壁とを有するリフィルを説明している。
【００１０】
（特許文献３）は、リフィルであって、
−  化粧品を含むことを意図された中空本体と、
−  外側ケーシングに中空本体を締結するための手段と、
−  ユーザにより前記締結手段にかけられた牽引力の影響で、中空本体からの前記締結手段の少なくとも部分的な分離を可能にするように構成された壊れやすい領域であって、リフィルの軸に垂直に、中空本体の外周の周りにばらばらにまたは連続的に延在する壊れやすい領域と
を含むリフィルを説明している。
【００１１】
しかしながら、既知のリフィルは、とりわけ、（特許文献４）において説明されたリフィルなどのように、リフィルが製品を含む底部と、蝶番のみにより底部に接続されたカバーとを有する場合には、化粧品の完全に完璧な密封を未だ提供していない。
【先行技術文献】
【特許文献】
【００１２】
【特許文献１】仏国特許第２７５５８３７号明細書
【特許文献２】仏国特許第２７８６０７６号明細書
【特許文献３】欧州特許第２３０８３３９号明細書
【特許文献４】国際公開第２０１６／０８３６０７号パンフレット
【発明の概要】
【発明が解決しようとする課題】
【００１３】
とりわけメーキャップおよびケア製品のための化粧品リフィルを、それらをより耐漏洩性とするために、改良する必要がある。
【００１４】
また、不正開封防止リフィル、すなわち、リフィルの最初の開封により、その後すぐにリフィルが既に開封されたことが明らかとなるように、その外観に不可逆的な変化が引き起こされる不正開封防止リフィルから利点を得る必要もある。
【００１５】
また、
−  ユーザが容易に開封することができ、
−  安価に容易に製造され、
−  空間要件が小さい
リフィルを提案する必要もある。
【課題を解決するための手段】
【００１６】
本発明の定義
本発明の主題は、化粧品リフィルに嵌合させることを意図した軸Ｘのキャップであって、中空本体と、少なくとも１つの破断可能領域により中空本体に接続された軸Ｚの少なくとも１つの把持タブとを含み、キャップには、内部に、リフィルの相補的保持起伏部において係合可能な少なくとも１つの保持起伏部が設けられ、把持タブの軸Ｚがキャップの側壁の高さにわたって少なくとも部分的に延在し、キャップの保持起伏部が、最初の使用時に把持タブにかけられる牽引力の影響で、リフィルの相補的保持起伏部から少なくとも部分的に外れるように設計される、キャップである。
【００１７】
本発明によるキャップの主な利点は、当該キャップが、リフィルをメーキャップケースの外側で耐漏洩性にするように、リフィルを閉鎖したままに保つということである。この利点は、国際公開第２０１６／０８３６０７号パンフレットにおいて説明されている蝶番と弾性的に変形可能な側壁とを備えたリフィルにとって特に有利である。
【００１８】
弾性的に変形可能な壁を備えたこのようなリフィルのために、本発明によるキャップは、リフィルにクリップ締結され得るとともに、耐漏洩性を確実にするために側壁を圧縮された状態に保ち得る。
【００１９】
本発明によるキャップは、収納および輸送中の耐漏洩性を確実にするために、プレートを「接合された」状態に保つという特定の特徴を有する。キャップは開封後は使い捨てできる。
【００２０】
キャップは製造するのが容易であり、リフィルからの分離を可能にするための薄い破断可能領域を備えている。
【００２１】
タブの軸Ｚが特定の位置にあるために、タブは、ユーザが、適切な耐漏洩性を確実にしつつ、取り外すのが容易である。
【００２２】
本発明はまた、化粧品リフィルに嵌合させる上述のキャップを含む耐漏洩性化粧リフィルに関する。
【００２３】
タブが除去されていない場合、ユーザは、リフィルが使用されておらず、それが依然として製造業者により梱包されたとおり製品の全てを含んでいることを確信することができる。対照的に、タブの破れまたは裂けは、キャップがリフィルから分離された場合があること、およびそれが以前に使われている場合があることを意味する。
【００２４】
本発明による耐漏洩リフィルは、不正開封防止付である。
【００２５】
本発明はまた、以下のステップ、すなわち、
−  上で定義されたとおりの耐漏洩性化粧リフィルを提供するステップと、
−  ２本の指の間で把持タブをつかむステップと、
−  把持タブに牽引力をかけるステップと、
−  任意選択的に、片方の手でキャップを、他方の手でリフィルを、それらを互いに離れるように移動させてそれらを分離し化粧品へ接近するために、つかむステップと
を含む化粧方法に関する。
【００２６】
主な定義
「軸Ａ」は長手方向軸Ａを意味する。
【００２７】
「軸Ａの一部の断面」は、当該部分の軸Ａに垂直な断面である。
【００２８】
「把持タブの長手方向軸」という表現は、タブの断面の質量の中心の全てを結ぶ線を示す。
【００２９】
「把持タブの軸Ｚがキャップの側壁の高さにわたって少なくとも部分的に延在する」は、タブの軸Ｚが、キャップの軸Ｘに対して平行にまたはある角度で、側壁の少なくとも一部にわたって延在することを意味する。
【００３０】
「タブ」という用語は、幅広く理解されるべきであり、突起、ストリップ、舌状部または薄板を含む。
【００３１】
「キャップの保持起伏部が、リフィルの相補的保持起伏部から少なくとも部分的に外れる」は、キャップおよびリフィルの保持起伏部が、少なくとも部分的に、離れるように移動し得る、分離され得る、変形され得る、折り曲げられ得る、または曲げられ得ることを意味する。したがって、ユーザはキャップとリフィルとの接続を完全に断つことができるとともに製品に接近することができる。
【００３２】
好ましい実施形態
好ましくは、本発明によるデバイスは、以下の特徴の１つまたは複数を、単独でまたは組合せて有する。
−  把持タブの軸Ｚがキャップの側壁の全高にわたって延在する。タブはまたつかむのがより容易である。
−  把持タブの軸Ｚがキャップの頂壁にわたって少なくとも部分的に延在する。キャップの開封により、リフィルはより良好に開かれる。
−  破断可能領域が、厚みの薄い領域であって、厚みの薄いライン、および／または、貫通開口によりまたは厚みの薄い領域により互いから分離された材料の複数のブリッジを含む厚みの薄い領域である。これは製造するのが容易である。
−  把持タブが、キャップの本体から少なくとも１つのスロットにより分離される。この設計はユーザがかける必要のある力を制限する。
−  中空本体、把持タブおよび破断可能領域が互いに一体のものとして作られる。製造費は低下する。
−  把持タブの軸Ｚがキャップの正中面に位置する。キャップは、見た目に魅力的な２つの対称な部分に分かれて開く。
−  リフィルが、内部に収納用区画を画定するベースと、蝶番の軸Ｙを中心としてベースに回転可能なやり方で取り付けられたプレートとを含み、前記プレートは、前記プレートが収納用区画を閉鎖する閉鎖構成と、収納用区画に接近可能である開封構成との間で可動である。製品は、プレートにより、およびリフィルを閉位置において保つキャップにより保護され得る。
−  ハウジングがプレートにおいて作られるとともに第２化粧用品を受けることを意図され、前記ハウジングは底部と側壁とを含み、前記側壁は弾性的に変形可能である。耐漏洩性は、シールとして機能する弾性のある壁により向上する。
【００３３】
本発明のさらなる特徴および利点は、添付の概略的および部分的図面を参照して非限定的な指示として以下に与えられるその詳細な説明から明らかとなる。
【図面の簡単な説明】
【００３４】
【図１】第１リフィルと第１キャップとを含む本発明の梱包デバイスの分解斜視図である。
【図２】図１のデバイスの軸方向断面を斜視図で示したものである。
【図３】キャップの無い第２リフィルの斜視図である。
【図４】第２キャップの斜視図である。
【図５】図４のキャップの底面図である。
【図６】図５の破断可能領域の詳細を示す。
【図７】図４のキャップの上面図である。
【図８】図４のキャップの外側の側面図である。
【図９】図８のＡＡでの断面である。
【図１０】図４のキャップの内部の側面図である。
【図１１】図１０のＢＢでの断面である。
【図１２】図４のキャップの底面図である。
【図１３】第３キャップの斜視図である。
【図１４】図１３のキャップの上面図である。
【図１５】図１３のキャップの正面図である。
【図１６】図１４のＡＡでの断面図である。
【図１７】図１４のＢＢでの断面図である。
【図１８】図１４のＣＣでの断面図である。
【発明を実施するための形態】
【００３５】
図１および２に示されたデバイスは、リフィル５に嵌合させられたキャップ３を有する。
【００３６】
キャップは、プラスチック材料、例えばＨＤＰＥまたはＡＢＳから作ることができる。
【００３７】
図１および２に示されるキャップ３は、中空本体４４と軸Ｚの把持タブ１４とを含む。これは、平らな頂壁１９によりおよび軸Ｘの円筒形側壁２１により境界付けられた内部容積１７を画定する。
【００３８】
把持タブ１４の軸Ｚは、側壁１９の全高にわたって、キャップの軸Ｘに平行に延在する。
【００３９】
把持タブ１４は、２つの長手方向スロット７１および７２により軸方向において境界付けられる。これは、頂壁１９の周辺エッジ１４５に位置する厚みの薄い領域９６により、中空本体４４に接続される。
【００４０】
把持タブ１４および厚みの薄い領域９６は、キャップ３の本体４４と一体のものとして作られる。
【００４１】
側壁２１は内部に、軸Ｘに垂直な平面に延在するとともにリフィル５の相補的起伏部と係合可能なスナップ嵌合ビード１１１を有する。
【００４２】
頂壁１９の外面は、周辺ショルダー７５であって、頂壁１９を側壁２１に接続するとともに頂壁１９の内面に周辺止め具を形成する周辺ショルダー７５を有する。この止め具は、リフィル５の軸方向移動を制限するために、リフィル５の相補的起伏部に当接するように設計される。
【００４３】
リフィル５は、ベース１２と、蝶番の軸Ｙを中心としてベース１２に対して回転可能なプレート１６とから構成される。
【００４４】
ベース１２は、中央空洞２５であって、平らな底部２６により、ならびにショルダー３０により一緒に接続された円筒形の下側壁２７および円筒形の上側壁３１により画定された中央空洞２５を輪郭付ける。中央空洞２５は、第１化粧品を受けることを意図された区画２８を画定する。上の円筒形壁３１は、その上端部から、軸Ｘの環状リム４６により下向きに拡張されたカラー４５により、半径方向に外向きに拡張される。
【００４５】
プレート１６は、平らな部分３６に開いているとともに第２化粧用品を受けることを意図された中央ハウジング３７を有する。中央ハウジング３７は、弾性的に変形可能な側壁４０により平らな部分３６に接続された平らな底部３８を有する。
【００４６】
側壁４０は好ましくは、弾性的に変形可能な材料、例えば熱可塑性エラストマー、例えばＳＥＢＳ、またはニトリルゴム（ＮＢＲ）、またはシリコーンから形成される。これは、例えば、底部３８へオーバーモールドされ、次いで、平らな部分３６へ接合される。
【００４７】
側壁４０の外側では、ベースおよびリフィルは熱可塑性材料から作ることができ、とりわけＡＢＳまたはＰＥＴ／ＰＥＴＧから作ることができる。
【００４８】
側壁４０は弾性的に変形することができ、ベース１２の側壁３１と接触するように、平らな部分３６およびカラー４５が一緒に移動させられる影響でその直径を増加させる。したがって、これは、プレート１６の閉位置において、ベース１２へのシールとして機能する。
【００４９】
しかしながら、リフィル５には留め具が無いため、プレート１６は、蝶番から反対側でベース１２に対して持ち上がる傾向がある。これは、弾性的に変形可能な側壁４０が軸方向に弛緩し、平らな部分３６へ圧力をかけ、これがプレート１６をベース１２から離れるように少なくとも局所的に移動させるからである。
【００５０】
キャップ３の主な利点は、リフィル５の外周全体の周りで平らな部分３６とカラー４５との間の接触を実現することにより、キャップ３がリフィル５を閉位置に保つことである。
【００５１】
リフィル５にキャップ３を嵌合させるために、図１に示されるとおり、キャップ３をリフィルの方向に軸Ｘに沿ってスナップ嵌合させる。キャップ３が嵌合させられると同時に、スナップ嵌合ビード１１１は環状リム４６に対して圧縮される。リム４６を通過すると、スナップ嵌合ビード１１１は、その弾性のために、図２に示されるとおりのその初期構成に戻り、キャップをリフィルに不可逆的に係止する。
【００５２】
キャップ３を取り外すために、図２に示されるとおり、ユーザは把持タブ１４の自由端を引き寄せる。ユーザによりかけられた牽引力が厚みの薄い領域９６の引裂き強度を超えると、タブ１４は破損する。ユーザは次いで、スナップ嵌合ビード１１１から環状リム４６を完全に外すために、キャップ３の側壁２１の軸Ｘに沿って、リフィル５から離れる方向に手動の牽引力をかけることができる。
【００５３】
例証のために、リフィルの第２例が図１３に示されている。前記図は、プレート１６をベース１２に接続する蝶番１２２を示している。
【００５４】
図４〜１２は本発明によるキャップの第２例を示す。
【００５５】
キャップ３は、円筒形側壁２１に接続された頂壁１９を含む。キャップ３の軸Ｘに平行な軸Ｚ、Ｚ’およびＺ’’の３つの把持タブ１４、１４１、１４２が、軸Ｘの周りに規則的に分布する。
【００５６】
キャップ３の直径は、有利には２ｃｍ〜５ｃｍであり、より有利には３ｃｍ〜４ｃｍである。
【００５７】
側壁２１の高さは、有利には１ｃｍ〜３．５ｃｍであり、より有利には１．５ｃｍ〜２ｃｍである。
【００５８】
各把持タブ１４、１４１、１４２は好ましくは、軸Ｘを中心として３０°〜６０°、より好ましくは約４５°の角度範囲の区域に含まれる。
【００５９】
各把持タブ１４、１４１、１４２は、例えば、その内面の途中に、それぞれ軸Ｚ、Ｚ’およびＺ’’に垂直なクリップ締結歯８０、８１および８２を含む。
【００６０】
各歯は、リフィル５が最初に使用される前には、リフィル５の相補的起伏部において係合させられている。
【００６１】
各把持タブ１４、１４１、１４２はそれぞれ、
−  把持タブの軸に平行であり、好ましくは軸Ｘを中心として２°〜５°、より好ましくは約３°の角度範囲の区域に含まれる２つの側方スロット９０、９１、９２、９３、９４、９５。
−  各把持タブと頂壁１９との間の接合部に位置する厚みの薄い領域９６、９７、９８
により境界付けられる。
【００６２】
各厚みの薄い領域は、図６に示されるとおり、２つの薄い領域９６１、９６２とより厚い領域９６３とを含み得る。
【００６３】
リフィル５からキャップ３を取り外すために、ユーザは、リフィル５の相補的起伏部からクリップ締結歯を外し始めるために、把持タブ１４、１４１、１４２を矢印の方向に持ち上げる。ユーザは次いで、クリップ締結歯を完全に解放しリフィル５へ接近するために、リフィル５をキャップ３から離れるように移動させる。
【００６４】
図１３〜１８は、本発明によるキャップ３の第３例を示す。本例において、キャップ３の断面は７ｃｍの幅を有する四角形である。キャップ３は単一の把持タブ１４を有し、このタブ１４の軸Ｚは、キャップ３の正中面に位置する。軸Ｚは側壁２１の全高にわたって延在するとともに、頂壁１９の全幅にわたって続く。
【００６５】
把持タブ１４は、軸Ｚに平行な、厚みの薄い２本のライン９６０および９６１により軸方向において境界付けられており、内部に、タブの前に位置するスナップ嵌合歯８５が設けられている。
【００６６】
有利には、把持タブ１４の幅は０．５ｃｍ〜２．５ｃｍ、好ましくは１ｃｍ〜１．５ｃｍである。
【００６７】
側壁２１には内部に、
−  側面２１０の途中に形成された２つのスナップ嵌合歯８１および８２、
−  側面２１０の反対側に、側面２１２の途中に形成された２つのスナップ嵌合歯８３および８４、
−  底面２１１の途中に形成された１つのスナップ嵌合歯８０であって、スナップ嵌合歯８１、８２、８３および８４より厚い１つのスナップ嵌合歯８０
が設けられている。
【００６８】
スナップ嵌合歯の位置、構造および厚さは、キャップ３がスナップ嵌合されるリフィル５の構成に適合される。
【００６９】
リフィル５からキャップ３を取り外すために、ユーザは把持タブ１４を図１３に示される矢印の方向に持ち上げる。ユーザは、厚みの薄い２本のライン９６０および９６１を、好ましくはそれらの範囲全体に沿って、引き裂く。ユーザは最初にスナップ嵌合歯８５を解放する。キャップ３はリフィル５に残り、他のスナップ嵌合歯とそれらの相補的起伏部との係合により軸方向位置において部分的に保たれる。リフィル５へ接近するために、ユーザは、キャップ３およびリフィル５を反対の方向に引くことができ、次いでキャップ３のスナップ嵌合歯をリフィル５の起伏部と交差させた後で、リフィル５からキャップ３を完全に取り外すことができる。
【符号の説明】
【００７０】
３  キャップ
５  リフィル（耐漏洩性化粧リフィル、化粧品リフィル）
１２  ベース
１４  把持タブ（タブ）
１６  プレート
１７  内部容積
１９  頂壁
２１  側壁（円筒形側壁）
２５  中央空洞
２６  底部
２７  下側壁
２８  収納用区画（区画）
３０  ショルダー
３７  中央ハウジング（ハウジング）
３８  底部
４０  側壁
４２  第２化粧用品
４４  中空本体（本体）
４５  カラー
４６  相補的保持起伏部（環状リム、リム）
７１  長手方向スロット（スロット）
７２  長手方向スロット（スロット）
７５  周辺ショルダー
８０  保持起伏部（スナップ嵌合歯、クリップ締結歯）
８１  保持起伏部（スナップ嵌合歯、クリップ締結歯）
８２  保持起伏部（スナップ嵌合歯、クリップ締結歯）
８３  スナップ嵌合歯
８４  スナップ嵌合歯
８５  スナップ嵌合歯
９０  側方スロット
９１  側方スロット
９２  側方スロット
９３  側方スロット
９４  側方スロット
９５  側方スロット
９６  破断可能領域（厚みの薄い領域）
９７  厚みの薄い領域
９８  厚みの薄い領域
１１１  保持起伏部（スナップ嵌合ビード）
１２２  蝶番
１４１  把持タブ
１４２  把持タブ
１４５  周辺エッジ
【図１】
2019526503.tif 000003
【図２】
2019526503.tif 000004
【図３】
2019526503.tif 000005
【図４】
2019526503.tif 000006
【図５】
2019526503.tif 000007
【図６】
2019526503.tif 000008
【図７】
2019526503.tif 000009
【図８】
2019526503.tif 000010
【図９】
2019526503.tif 000011
【図１０】
2019526503.tif 000012
【図１１】
2019526503.tif 000013
【図１２】
2019526503.tif 000014
【図１３】
2019526503.tif 000015
【図１４】
2019526503.tif 000016
【図１５】
2019526503.tif 000017
【図１６】
2019526503.tif 000018
【図１７】
2019526503.tif 000019
【図１８】
2019526503.tif 000020
【国際調査報告】
2019526503.tif 000021
2019526503.tif 000022